(57)【特許請求の範囲】
【請求項１】
商用電源電圧を所定の安定化した直流電圧に変換し、出力ラインを介して主負荷と主負荷以外の負荷とに供給する電圧変換部を有する電源装置であって、
前記電圧変換部の出力ライン上に挿入されるコイルと、
前記コイルの両端に発生する電圧を検出し、得られた検出電圧に応じて制御信号を生成する制御信号生成手段と、
前記制御信号生成手段からの制御信号が過電流と判定され、かつ、前記主負荷以外の負荷が生成する切り離しを許可する検出信号が出力されている場合に切り替え動作して前記主負荷以外の負荷を前記電圧変換部の出力ラインから切り離す分離手段とを備えたことを特徴とする電源装置。
【請求項２】
前記コイルはノイズフィルタの一部であることを特徴とする請求項１に記載の電源装置。
【請求項３】
請求項１及至２のいずれかに記載の電源装置を有することを特徴とする情報処理機器。
【請求項４】
商用電源電圧を所定の安定化した直流電圧に変換し、出力ラインを介して主負荷と主負荷以外の負荷とに供給する電圧変換部を有する電源装置における電力制御方法であって、
前記電圧変換部の出力ライン上に挿入されるコイルの両端に発生する電圧を検出し、得られた検出電圧が所定値以上で過電流状態と判定される場合に所定レベルの制御信号を生成する工程と、
前記制御信号が生成され、かつ、前記主負荷以外の負荷が生成する切り離しを許可する検出信号が出力されている場合に切り替え動作して前記主負荷以外の負荷を前記電圧変換部の出力ラインから切り離す工程とを有することを特徴とする電力制御方法。
【請求項５】
前記コイルはノイズフィルタの一部であることを特徴とする請求項４に記載の電力制御方法。
【発明の詳細な説明】
【０００１】
【発明の属する技術分野】
本発明は、例えば、パーソナルコンピュータやワードプロセッサ等に用いて好適な電源装置、電力制御方法に関し、また、その電源装置を備えた情報処理機器に関する。
【０００２】
【従来の技術】
図４は、従来の電源装置の構成を示す。図４に示されるように従来の電源装置は、ＡＣ／ＤＣコンバータ４１と、電流検出用の抵抗４２と、電流検出回路４３と、ＤＣ／ＤＣコンバータ４５等とを有する。ＡＣ／ＤＣコンバータ４１は、商用電源電圧を所定の直流電圧に安定化して出力する。また、ＤＣ／ＤＣコンバータ４５は、ＡＣ／ＤＣコンバータ４１の出力をさらに異なる直流電圧に変換して出力する。電源装置のＤＣ／ＤＣコンバータ４５には、図示されていないが主負荷が接続されている。
【０００３】
電流検出回路４３は、ＡＣ／ＤＣコンバータ４１の出力ライン上に挿入された抵抗４２の両端に発生する電圧をそれぞれに検出し、この検出電圧の差を求めて増幅する。この抵抗４２に流れる電流に応じた増幅出力がＤＣ／ＤＣコンバータ４５の制御端子に供給される。ＤＣ／ＤＣコンバータ４５は、電流検出回路４３からの増幅出力と、所定のしきい値レベルとを比較してしきい値レベル以上となった時に、過負荷状態と判定して出力電圧が低くなるように動作する。
【０００４】
【発明が解決しようとする課題】
しかしながら、上述した従来の電源装置においては、ＡＣ／ＤＣコンバータ４１の出力ライン上に挿入された抵抗４２を用いて過電流を検出するように構成されているため不要な電力損出や電圧降下が発生する問題点があった。また、負荷に対して高い電圧安定度が要求される場合には、従来の電源装置においては、入力段のＡＣ／ＤＣコンバータ４１に最大負荷を想定した余裕を持った大型のものを採用する必要があり、装置全体の小型軽量化及び低価格化の阻害要因となっていた。さらに、負荷としてマイクロコンピュータ及びメモリを有する情報処理装置等が接続される場合には、二次電池等を含んだバックアップ電源としてのバッテリ部等が必要とされる可能性が高く、また、主負荷の情報処理装置以外に各種負荷がＡＣ／ＤＣコンバータ４１に接続される場合が想定され、多様化する負荷に対して柔軟かつ容易に対応することができる電源装置の要求が強まりつつある。
【０００５】
本発明は、斯かる問題点を鑑みてなされたものであり、その目的とするところは、過負荷状態を回避して安定的に主負荷に対して電力を供給することができ、然も、装置全体の小型軽量化及び低価格化を図ることができる電源装置及び電力制御方法を提供することにある。また、その電源装置を備えた情報処理機器を提供することにある。
【０００６】
【課題を解決するための手段】
本発明は、上記課題を解決すべく、以下に掲げる構成とした。
請求項１記載の発明の要旨は、商用電源電圧を所定の安定化した直流電圧に変換し、出力ラインを介して主負荷と主負荷以外の負荷とに供給する電圧変換部を有する電源装置であって、前記電圧変換部の出力ライン上に挿入されるコイルと、前記コイルの両端に発生する電圧を検出し、得られた検出電圧に応じて制御信号を生成する制御信号生成手段と、前記制御信号生成手段からの制御信号により切り替え動作して前記主負荷以外の負荷を前記電圧変換部の出力ラインから切り離す分離手段とを備えたことを特徴とする電源装置に存する。
請求項２記載の発明の要旨は、さらに、前記主負荷の前段において前記電圧変換部からの直流電圧を所定の第２の直流電圧に変換する第２の電圧変換手段を備えたことを特徴とする請求項１に記載の電源装置に存する。
請求項３記載の発明の要旨は、前記制御信号生成手段には前記主負荷以外の負荷からの検出信号が供給され、前記制御信号生成手段は、前記コイルの両端に発生する電圧を検出し、得られた検出電圧と、前記主負荷以外の負荷からの検出信号とに応じて前記制御信号を生成することを特徴とする請求項１または２に記載の電源装置に存する。
請求項４記載の発明の要旨は、前記電圧変換部の出力ラインには前記主負荷以外の複数の負荷が接続され、前記分離手段は、前記制御信号生成手段からの制御信号により切り替え動作して前記主負荷以外の複数の負荷の内の所定の負荷を電圧変換部の出力ラインから切り離すことを特徴とする請求項１及至３のいずれかに記載の電源装置に存する。
請求項５記載の発明の要旨は、前記コイルはノイズフィルタの一部であることを特徴とする請求項１及至４のいずれかに記載の電源装置に存する。
請求項６記載の発明の要旨は、前記主負荷にマイクロコンピュータ及びメモリを含む情報処理手段が含まれ、前記主負荷以外の負荷に二次電池が含まれることを特徴とする請求項１及至５のいずれかに記載の電源装置に存する。
請求項７記載の発明の要旨は、請求項１及至６のいずれかに記載の電源装置を有することを特徴とする情報処理機器に存する。
請求項８記載の発明の要旨は、商用電源電圧を所定の安定化した直流電圧に変換し、出力ラインを介して主負荷と主負荷以外の負荷とに供給する電圧変換部を有する電源装置における電力制御方法であって、前記電圧変換部の出力ライン上に挿入されるコイルの両端に発生する電圧を検出し、得られた検出電圧が所定値以上で過電流状態と判定される場合に所定レベルの制御信号を生成する工程と、前記制御信号を生成する工程からの制御信号により切り替え動作して前記主負荷以外の負荷を前記電圧変換部の出力ラインから切り離す工程とを有することを特徴とする電力制御方法に存する。
請求項９記載の発明の要旨は、前記制御信号を生成する工程には前記主負荷以外の負荷からの検出信号が供給され、前記制御信号を生成する工程においては、前記コイルの両端に発生する電圧を検出し、得られた検出電圧が所定値以上で過電流状態と判定されるか、または、前記検出信号により出力ラインからの切り離しが許可されると判定される場合に所定レベルの制御信号を生成することを特徴とする請求項８に記載の電力制御方法に存する。
請求項１０記載の発明の要旨は、前記電圧変換部の出力ラインには前記主負荷以外の複数の負荷が接続され、前記切り離す工程においては、前記制御信号を生成する工程からの制御信号により切り替え動作して前記主負荷以外の複数の負荷の内の所定の負荷を電圧変換部の出力ラインから切り離すことを特徴とする請求項８または９に記載の電力制御方法に存する。
請求項１１記載の発明の要旨は、前記コイルはノイズフィルタの一部であることを特徴とする請求項８及至１０のいずれかに記載の電力制御方法に存する。
【０００７】
【発明の実施の形態】
以下、本発明の実施の形態を図面に基づいて詳細に説明する。
【０００８】
（第１の実施の形態）
図１は、本発明をパーソナルコンピュータに適用した第１の実施の形態の全体構成を示すブロック図である。図１に示すように第１の実施の形態に係わるパーソナルコンピュータは、大別して電源装置と情報処理装置１０とにより構成されている。
【０００９】
電源装置は、ＡＣ／ＤＣコンバータ１と、ヒューズ２と、電流制御回路３と、分離手段としてのスイッチング素子と、ＤＣ／ＤＣコンバータ５と、バッテリ部６等とを有する。ＡＣ／ＤＣコンバータ１は、商用電源電圧を例えば１９Ｖの直流電圧に安定化して出力する。また、ＤＣ／ＤＣコンバータ５は、ＡＣ／ＤＣコンバータ１の出力をさらに例えば５．０Ｖ，３．３Ｖ，１．５Ｖの異なる３つの直流電圧にそれぞれに変換して出力する。
【００１０】
電源装置のＤＣ／ＤＣコンバータ５には、主負荷としての情報処理装置１０が接続されており、情報処理装置１０の各部には、ＤＣ／ＤＣコンバータ５の出力のそれぞれが供給される。
【００１１】
情報処理装置１０は、図１に示すようにＣＰＵを有するプロセッサ部１１と、ＲＯＭ（Read Only Memory）及びＲＡＭ（Random Access Memory）等からなるメモリ部１２と、ＤＭＡ（Direct Memory Access) コントローラを含み各部との入出力処理を行う入出力制御部１３とを有する。プロセッサ部１１と、メモリ部１２と、入出力制御部１３とのそれぞれは、バスにより接続されており、データの授受が双方向に可能とされている。また、入出力制御部１３には、例えば、液晶表示板及び駆動回路等を有する表示部１４と、ＨＤＤ（ハードディスクドライブ）回路やＣＤ−ＲＯＭ読み取り回路等を含む外部メモリ部１５と、キーボード等を有する操作入力部１６等とが接続されており、プロセッサ部１１は、操作入力部１６の状態を入出力制御部１３を介して監視し、その操作状態に応じてプログラムデータや各種データをメモリ部１２や外部メモリ部１５から読み出し、読み出したデータに基づいて所定の手順で以て各種情報処理を実行すると共に、それに伴った表示を行う。
【００１２】
ＡＣ／ＤＣコンバータ１の出力をＤＣ／ＤＣコンバータ５に供給する出力ライン（＋電源ライン）には、電流溶断型のヒューズ２が挿入されている。ヒューズ２の一端が後述する電流制御回路３の一方の入力端子に接続され、ヒューズ２の他端が電流制御回路３の他方の入力端子に接続されると共に、分離手段としてのスイッチング素子の一端に接続されている。
【００１３】
分離手段としてのスイッチング素子としては、例えば、Ｐチャンネル型のＭＯＳＦＥＴ（Metal Oxide Semiconductor Field-Effect Transistor:以下、単にＦＥＴと称す。）が用いられる。従って、ＦＥＴ４のソースがヒューズ２の他端に接続されている。なお、分離手段としてのスイッチング素子としては、ＰＮＰ形のバイポーラトランジスタを用いたり、他の素子を用いるようにしても良い。また、分離手段が接地ライン（−電源ライン）側に設けられる場合には、それに応じたＮチャンネル型のＦＥＴやＮＰＮ型のバイポーラトランジスタ等が用いられる。なお、ＦＥＴ４のゲートが電流制御回路３の出力端子に接続され、また、ＦＥＴ４のドレインに情報処理装置１０以外の負荷としてのバッテリ部６が接続されている。
【００１４】
バッテリ部６は、二次電池を有し、また、その二次電池に応じた充電回路及び充電制御回路等を有する。例えば、二次電池としては、リチウムイオン電池、ニッケルカドミウム電池、ニッケル水素電池等が用いられる。従って、ＦＥＴ４がオン状態の場合で充電が必要な場合には、二次電池に対して充電が実施される。なお、図示されていないが、ＡＣ／ＤＣコンバータ１に対して商用電源電圧の供給が停止された場合には、二次電池に蓄積された電力が情報処理装置１０の各部に直接供給されるか、もしくは、ＤＣ／ＤＣコンバータ５を介して電力が情報処理装置１０の各部に供給される。
【００１５】
電流制御回路３は、ヒューズ２の両端に発生する電圧を検出し、得られた検出結果に基づいて制御信号Ｓ１を生成してＡＣ／ＤＣコンバータ１の出力ラインとバッテリ部６との間に設けられているＦＥＴ４を制御する。具体的には、電流制御回路３は、ヒューズ２の両端に発生する電圧をそれぞれに検出し、この検出電圧の差を求めて増幅する。このヒューズ２に流れる電流に応じた増幅出力を所定のしきい値レベルと比較してしきい値レベル以上となった時に、過電流状態と判定して例えばハイレベルの制御信号Ｓ１を生成する。電流制御回路３において生成された制御信号Ｓ１がＦＥＴ４のゲートに供給される。従って、ＦＥＴ４は、ゲートの電圧がハイレベルに制御される時にオフし、バッテリ部６を出力ラインから切り離す。
【００１６】
このように構成される第１の実施の形態の通常時においては、電流制御回路３において生成される制御信号Ｓ１がローレベルのまま保持される。従って、ＡＣ／ＤＣコンバータ１の出力がＤＣ／ＤＣコンバータ５に供給されると共に、ＦＥＴ４を介してＡＣ／ＤＣコンバータ１の出力がバッテリ部６に供給される。
【００１７】
一方、情報処理装置１０のＣＰＵやハードディスク回路等において大きな駆動電流が流れ、ヒューズ２の両端に発生する電圧により過電流状態と判定される場合には、電流制御回路３においてハイレベルの制御信号Ｓ１が生成されるため、ＦＥＴ４がオフしてバッテリ部６が出力ラインから切り離される。従って、ＡＣ／ＤＣコンバータ１の出力がＤＣ／ＤＣコンバータ５のみに供給され、過負荷状態が回避されて安定した電力が供給される。また、ＣＰＵやハードディスク回路等に大きな駆動電流が流されるのは、一時的であるため、駆動電流が所定電流以下となった時には、電流制御回路３において生成される制御信号Ｓ１がローレベルに戻されてＦＥＴ４がオンし、バッテリ部６が再び出力ラインに接続される。なお、仮に二次電池に対して充電中であっても短時間の中断であれば、二次電池に対して悪影響を及ぼさない。
【００１８】
なお、上述した第１の実施の形態においては、制御信号Ｓ１をヒューズ２の両端の電圧にのみ基づいて生成する場合について説明したが、図１において破線の矢印で示すようにバッテリ部６において、例えば、二次電池の状態を示すか、もしくは、バッテリ部６の切り離しを許可する検出信号Ｓ２を生成して電流制御回路３に供給するようにしても良い。この場合には、電流制御回路３は、ヒューズ２の両端の電圧と、検出信号Ｓ２に基づいて制御信号Ｓ１を生成し、過電流と判定され、かつ、バッテリ部６の切り離しが許可されると判定される場合にのみ制御信号Ｓ１をハイレベルにする。
【００１９】
以上説明したように第１の実施の形態によれば、以下に掲げる効果を奏する。まず、第１の効果は、過電流が検出されて主負荷以外の負荷が出力ラインから切り離されるため、過負荷状態が回避されて主負荷に安定した電力を供給することができ、ＡＣ／ＤＣコンバータ１の小型軽量化を図ることができる。次に第２の効果は、従来の電源装置においては出力ライン上に電流検出用の抵抗が必要とされたが、不用とすることができ、また、電流検出用の抵抗における不要な電力損失や電圧降下を抑えることができることにある。
【００２０】
（第２の実施の形態）
図２は、第２の実施の形態の構成を示すブロックである。なお、図２においては、第１の実施の形態に対応する部分に同一の参照符号を付してその説明を省略する。図２に示すように第２の実施の形態は、ヒューズ２の代わりにノイズフィルタを構成するコイル２２が用いられている。コイル２２の一端が電流制御回路２３の一方の入力端子に接続され、コイル２２の他端が電流制御回路２３の他方の入力端子に接続されると共に、ＦＥＴ４のソースに接続されている。なお、図示されていないがＤＣ／ＤＣコンバータ５には、情報処理装置１０が接続されている。また、図示されていないが出力ラインと接地ラインとの間には、ノイズフィルタを構成するコンデンサが接続されている。
【００２１】
電流制御回路２３は、第１の実施の形態と検出電圧の平均化処理以外に関して同一の処理を行う構成とされており、コイル２２の両端に発生する電圧を検出し、得られた検出結果に基づいて制御信号Ｓ１を生成してＡＣ／ＤＣコンバータ１の出力ラインとバッテリ部６との間に設けられているＦＥＴ４を制御する。具体的には、電流制御回路２３は、コイル２２の両端に発生する電圧を平均化してそれぞれに検出し、この検出電圧の差を求めて増幅する。このコイル２２に流れる電流に応じた増幅出力を所定のしきい値レベルと比較してしきい値レベル以上となった時に、過電流状態と判定して例えばハイレベルの制御信号Ｓ１を生成する。電流制御回路２３において生成された制御信号Ｓ１がＦＥＴ４のゲートに供給される。従って、ＦＥＴ４は、ゲートの電圧がハイレベルに制御される時にオフし、バッテリ部６を出力ラインから切り離す。
【００２２】
このように構成される第２の実施の形態は、前述した第１の実施の形態と同様に動作し、通常時においては、電流制御回路２３において生成される制御信号Ｓ１がローレベルのまま保持される。従って、ＡＣ／ＤＣコンバータ１の出力がＤＣ／ＤＣコンバータ５に供給されると共に、ＦＥＴ４を介してＡＣ／ＤＣコンバータ１の出力がバッテリ部６に供給される。
【００２３】
一方、情報処理装置１０のＣＰＵやハードディスク回路等において大きな駆動電流が流れ、コイル２２の両端に発生する電圧により過電流状態と判定される場合には、電流制御回路２３においてハイレベルの制御信号Ｓ１が生成されるため、ＦＥＴ４がオフしてバッテリ部６が出力ラインから切り離される。従って、ＡＣ／ＤＣコンバータ１の出力がＤＣ／ＤＣコンバータ５のみに供給され、過負荷状態が回避されて安定した電力が供給される。また、ＣＰＵやハードディスク回路等に大きな駆動電流が流されるのは、一時的であるため、駆動電流が所定電流以下となった時には、電流制御回路２３において生成される制御信号Ｓ１がローレベルに戻されてＦＥＴ４がオンし、バッテリ部６が再び出力ラインに接続される。
【００２４】
（第３の実施の形態）
図３は、第３の実施の形態の構成を示すブロック図である。なお、図３においては、第１の実施の形態に対応する部分に同一の参照符号を付してその説明を省略する。図３に示すように第３の実施の形態は、主負荷（情報処理装置１０）以外の負荷として二つの負荷３６ａ，３６ｂとそれに対応したＦＥＴ３４ａ，３４ｂとが設けられている。ヒューズ２の一端が電流制御回路３３の一方の入力端子に接続され、ヒューズ２の他端が電流制御回路３３の他方の入力端子に接続されると共に、ＦＥＴ３４ａ，３４ｂのそれぞれのソースに接続されている。なお、図示されていないがＤＣ／ＤＣコンバータ５には、情報処理装置１０が接続されている。
【００２５】
ＦＥＴ３４ａのゲートが電流制御回路３３の一方の出力端子に接続され、また、ＦＥＴ３４ａのドレインに負荷３６ａが接続されている。同様にＦＥＴ３４ｂのゲートが電流制御回路３３の一方の出力端子に接続され、また、ＦＥＴ３４ｂのドレインに負荷３６ｂが接続されている。負荷３６ａにおいて、例えば、負荷３６ａの動作状態を示すか、もしくは、負荷３６ａの切り離しを許可する検出信号Ｓ２ａが生成され、この検出信号Ｓ２ａが電流制御回路３３に供給される。また、負荷３６ｂにおいて、例えば、負荷３６ｂの動作状態を示すか、もしくは、負荷３６ｂの切り離しを許可する検出信号Ｓ２ｂが生成され、この検出信号Ｓ２ｂが電流制御回路３３に供給される。
【００２６】
電流制御回路３３は、ヒューズ２の両端に発生する電圧を検出し、得られた検出結果と、負荷３６ａ，３６ｂからの検出信号Ｓ２ａ，Ｓ２ｂとに基づいて制御信号Ｓ１ａ及びＳ１ｂを生成して上述したようにＡＣ／ＤＣコンバータ１の出力ラインとバッテリ部６との間に設けられているＦＥＴ３４ａ及び３４ｂのそれぞれを制御する。具体的には、電流制御回路３３は、ヒューズ２の両端に発生する電圧をそれぞれに検出し、この検出電圧の差を求めて増幅する。このヒューズ２に流れる電流に応じた増幅出力を所定のしきい値レベルと比較してしきい値レベル以上となり過電流状態と判定され、かつ、負荷３６ａの切り離しが許可されると判定される場合にのみハイレベルの制御信号Ｓ１ａを生成する。また、同様にヒューズ２に流れる電流に応じた増幅出力を所定のしきい値レベルと比較してしきい値レベル以上となり過電流状態と判定され、かつ、負荷３６ｂの切り離しが許可されると判定される場合にのみハイレベルの制御信号Ｓ１ｂを生成する。電流制御回路３３において生成された制御信号Ｓ１ａがＦＥＴ３４ａのゲートに供給され、制御信号Ｓ１ｂがＦＥＴ３４ｂのゲートに供給される。
【００２７】
このように構成される第３の実施の形態は、通常時においては、電流制御回路３３において生成される制御信号Ｓ１ａ及びＳ１ｂがローレベルのまま保持される。従って、ＡＣ／ＤＣコンバータ１の出力がＤＣ／ＤＣコンバータ５に供給されると共に、ＦＥＴ３４ａを介してＡＣ／ＤＣコンバータ１の出力が負荷３６ａに供給され、ＦＥＴ３４ｂを介してＡＣ／ＤＣコンバータ１の出力が負荷３６ｂに供給される。
【００２８】
一方、情報処理装置１０のＣＰＵやハードディスク回路等において大きな駆動電流が流れ、ヒューズ２の両端に発生する電圧により過電流状態と判定される場合には、電流制御回路３３において制御信号Ｓ１ａ及びＳ１ｂが生成されるため、所定のＦＥＴがオフして所定の負荷が出力ラインから切り離される。従って、ＡＣ／ＤＣコンバータ１の出力がＤＣ／ＤＣコンバータ５と、所定の負荷のみに供給され、過負荷状態が回避されて安定的に電力が供給される。また、ＣＰＵやハードディスク回路等に大きな駆動電流が流されるのは、一時的であるため、駆動電流が所定電流以下となった時には、切り離されていた負荷が存在する場合には、再び出力ラインに接続される。
【００２９】
なお、上述した説明においては、パーソナルコンピュータに本発明を適用した場合の第１〜第３の実施の形態について説明したが、本発明は、ワードプロセッサや携帯情報端末等の他の情報処理機器に容易に適用することができる。また、上述した第１〜第３の実施の形態においては、分離手段としてのスイッチング素子としてＦＥＴを用いる場合について説明したが、バイポーラトランジスタを用いたり、他のスイッチング素子を用いるようにしても良い。さらに、上述した第１〜第３の実施の形態においては、過電流の検出手段としての素子（ヒューズ／コイル）を出力ラインに設ける場合について説明したが、接地ライン（−電源ライン）側に設けるようにしても良い。
【００３０】
なお、本発明が上記各実施の形態に限定されず、本発明の技術思想の範囲内において、各実施の形態が適宜変更され得ることは明らかである。また、上記構成部材の数、位置、形状等は上記実施の形態に限定されず、本発明を実施する上で好適な数、位置、形状等にすることができる。また、各図において、同一構成要素には同一符合を付している。
【００３１】
【発明の効果】
本発明は以上のように構成されているので、以下に掲げる効果を奏する。その第１の効果は、過電流が検出されて主負荷以外の負荷が出力ラインから切り離されるため、過負荷状態が回避されて主負荷に安定した電力を供給することができ、ＡＣ／ＤＣコンバータ１の小型軽量化を図ることができる。次に第２の効果は、従来の電源装置においては出力ライン上に電流検出用の抵抗が必要とされたが、不用とすることができ、また、電流検出用の抵抗における不要な電力損失や電圧降下を抑えることができることにある。
【図面の簡単な説明】
【図１】本発明の第１の実施の形態の全体構成を示すブロック図である。
【図２】本発明の第２の実施の形態の構成を示すブロック図である。
【図３】本発明の第３の実施の形態の構成を示すブロック図である。
【図４】従来の電源装置の説明に用いるブロック図である。
【符号の説明】
１・・・ＡＣ／ＤＣコンバータ
２・・・ヒューズ
３，２３，３３・・・電流制御回路
４，３４ａ，３４ｂ・・・ＦＥＴ
５・・・ＤＣ／ＤＣコンバータ
６・・・バッテリ部
１０・・・情報処理装置
１１・・・プロセッサ部
１２・・・メモリ部
１３・・・入出力制御部
１４・・・表示部
１５・・・外部メモリ部
１６・・・操作入力部
２２・・・コイル
３６ａ，３６ｂ・・・負荷
Ｓ１，Ｓ１ａ，Ｓ１ｂ・・・制御信号
Ｓ２，Ｓ２ａ，Ｓ２ｂ・・・検出信号
【図１】
0003890184.tif 000002
【図２】
0003890184.tif 000003
【図３】
0003890184.tif 000004
【図４】
0003890184.tif 000005